(57)【要約】【課題】動画像の画質を劣化させることのない撮影装置を提供すること提供すること。【解決手段】  静止画撮影光学系１１１ｂおよび静止画ＣＣＤ１１２ｂと静止画記録部１１９０ｂとを備える静止画撮影部１００ｂと、動画撮影光学系１１１ａおよび動画ＣＣＤと動画記録部１１９０ａとを備える動画撮影部１００ａとを備える。動画撮影部１００ａによる動画撮影とは独立に動画撮影中においても動画撮影と併行して静止画撮影部１００ａにより静止画撮影を行なう。動画撮影と静止画撮影とを独立に行なうので、静止画を間引いて動画像を得る必要がないため、動画像の画質が向上する。【選択図】      図２
2005094465.tif 000002
【特許請求の範囲】
【請求項１】
被写体光を捉えて画像データを生成し該画像データを記録媒体に記録する撮影装置において、
動画撮影用に構成された動画撮影光学系および動画用撮像素子を備えるとともに、
装填された記録媒体に動画データを記録する動画記録部を備え、該動画用撮像素子により被写体光を捉えて動画データを生成し該動画データを該動画記録部に装填されている記録媒体に記録する動画撮影部と、
静止画撮影用に構成された静止画撮影光学系および静止画用撮像素子を備えるとともに、装填された記録媒体に静止画データを記録する静止画記録部を備え、該静止画用撮像素子により被写体光を捉えて静止画データを生成し該静止画データを該静止画記録部に装填されている記録媒体に記録する、前記動画撮影部による動画撮影とは独立に動画撮影中においても動画撮影と併行して静止画撮影を行なう静止画撮影部とを具備することを特徴とする撮影装置。
【請求項２】
前記動画記録部と前記静止画記録部との双方に代えて、装填された記録媒体に動画データと静止画データとの双方を記録する画像記録部を備えたことを特徴とする請求項１記載の撮影装置。
【請求項３】
前記動画記録部と前記静止画記録部との双方で共通に使用される、電源、画像表示画面、および操作手段のうちの少なくとも１つを備えたことを特徴とする請求項１記載の撮影装置。
【請求項４】
前記動画記録部と前記静止画記録部との双方を制御するシステムコントローラを備えたことを特徴とする請求項１記載の撮影装置。
【請求項５】
前記動画記録部と前記静止画記録部との双方に代えて、装填された記録媒体に動画データと静止画データとの双方を記録する画像記録部を備え、
前記動画データが該動画データの加工用に通過する動画用バスと、
前記静止画データが静止画データの加工用に通過する静止画用バスと、
前記動画用バスおよび前記静止画用バスから動画データおよび静止画データを受け取ってこれら動画データおよび静止画データの双方が記録媒体への記録用に通過する記録用バスとを備えたことを特徴とする請求項１記載の撮影装置。
【請求項６】
前記動画記録部と前記静止画記録部との双方で共通使用される画像表示画面を備え、
前記動画データが該動画データの加工用に通過する動画用バスと、
前記静止画データが該静止画データの加工用に通過する静止画用バスと、
前記動画用バスおよび前記静止画用バスから動画データおよび静止画データを受け取ってこれら動画データおよび静止画データの双方が前記画像表示画面への画像表示用に通過する表示用バスとを備えたことを特徴とする請求項１記載の撮影装置。
【請求項７】
前記動画撮影部が、該動画撮影部で得られた動画データに基づく動画像を記録する、前記静止画撮影部と共通使用あるいは該動画撮影部で単独使用される画像表示画面を備え、
前記動画撮影部が、電源投入時に、記録媒体への動画データの記録を除き動作を開始して前記表示画面に動画像の表示を行なうものであることを特徴とする請求項１記載の撮影装置。
【請求項８】
前記動画撮影部が、被写体までの距離を測定する測距部および被写体輝度を測定する測光部を備え、
前記静止画撮影部が、前記動画撮影部の測距部および測光部で得られた距離情報および輝度情報を反映させた静止画撮影を行なうものであることを特徴とする請求項１記載の撮影装置。
【請求項９】
前記静止画撮影部が、被写体距離を考慮して前記動画撮影部による動画撮影における被写体中心と同じ点を被写体中心とした静止画撮影を行なうものであることを特徴とする請求項１記載の撮影装置。
【請求項１０】
前記動画撮影光学系および前記静止画撮影光学系がいずれもズーム機能を備えた撮影光学系であって、前記動画撮影光学系の焦点距離と前記静止画撮影光学系の焦点距離とを独立に調整するモードと、前記動画撮影光学系の焦点距離と前記静止画撮影用光学系の焦点距離との双方を連動させて調整するモードとを有することを特徴とする請求項１記載の撮影装置。
【発明の詳細な説明】
【技術分野】
【０００１】
本発明は、被写体光を捉えて画像データを生成しその画像データを記録媒体に記録する撮影装置に関する。
【背景技術】
【０００２】
古くは銀塩カメラに始まり近年のビデオカメラ、さらには現代のデジタルカメラといったようにカメラの方式も時代の流れとともに激しく移り変わっている。これらのカメラが出揃った現代においては、それらのカメラの特性をそれぞれ活かすようにこれらのカメラを一度に持ち歩いて使い分けて適宜撮影を行なう人もいる。このようなカメラのうち、銀塩カメラは引き伸ばしを行なっても高画質の写真が得られるなどの長所がある反面、静止画像しか撮影することができないという欠点がある。また、ビデオカメラは動画像を撮影することができ、比較的暗い場所でも撮影を行なえて撮影中にズーム機能を働かせて例えば自分の子供の表情などを拡大して撮影していつまでもテープなどに保存することができるなどの長所がある反面、動画像を主体とした撮像部が構成されているため、画素数が少なくプリントには適さないという欠点がある。
【０００３】
さらにデジタルカメラは、動画像と静止画像とを切り替えて撮影することができたり、撮影した既撮影画像の再生を行なって撮影した画像を表示画面上で楽しむことができたりはするものの、光学ズームの倍率が低く、電子ズームにより高倍率を実現させているため、思ったほど高倍率の撮影を鮮明に行なえなかったりするという欠点がある。
【０００４】
このためユーザは、３種類のカメラを持ち歩いて被写体によってこれらカメラのうちいずれかを使用して撮影を行なっていた。しかし、このように３台のカメラを持ち歩くのは面倒である。
【０００５】
そこで、デジタルカメラに銀塩カメラの長所である高画質という特徴を持たせるとともに、ビデオカメラの特徴をも持たせたデジタルカメラが出現してきている。このようなデジタルカメラは高画素数の固体撮像素子を備えたものであって、銀塩カメラで撮影したのと同じような高画質の写真を得ることも、またビデオカメラと同様に動画像の撮影を行なうことも、さらに動画撮影中に静止画像を撮影することもできる（例えば特許文献１参照）。
【０００６】
しかし、この特許文献１のデジタルカメラでは、静止画撮影を行なうときには高画素数の固体撮像素子のすべての画素で撮影を行なって高精細な画像データを得ることはできるが、動画像撮影を行なうときにはすべての画素を使用せずに間引いた画素で動画データを生成する、すなわち間引き処理を行なうため、解像度が低下するだけでなく、折り返し歪という大きな画質欠陥につながる歪みが発生して画質が著しく劣化してしまうという問題がある。
【０００７】
また、画素混合を行なって感度を上げるような処理を行なうと、折り返し歪みの影響がより一層強く出てきて、動画像の画質がさらに劣化するという問題がある。この問題は固体撮像素子の画素数が高画素数になればなるほど顕著に現われる。
【特許文献１】特開２０００−３５２７５９号公報
【発明の開示】
【発明が解決しようとする課題】
【０００８】
本発明は上記問題点を解決し、動画撮影を行なっても動画像の画質を劣化させることのない撮影装置を提供することを目的とするものである。
【課題を解決するための手段】
【０００９】
上記課題を達成する本発明の撮影装置は、被写体光を捉えて画像データを生成しその画像データを記録媒体に記録する撮影装置であって、
動画撮影用に構成された動画撮影光学系および動画用撮像素子を備えるとともに、
装填された記録媒体に動画データを記録する動画記録部を備え、その動画用撮像素子により被写体光を捉えて動画データを生成しその動画データをその動画記録部に装填されている記録媒体に記録する動画撮影部と、
静止画撮影用に構成された静止画撮影光学系および静止画用撮像素子を備えるとともに、装填された記録媒体に静止画データを記録する静止画記録部を備え、その静止画用撮像素子により被写体光を捉えて静止画データを生成しその静止画データをその静止画記録部に装填されている記録媒体に記録する、上記動画撮影部による動画撮影とは独立に動画撮影中においても動画撮影と併行して静止画撮影を行なう静止画撮影部とを具備することを特徴とする。
【００１０】
上記本発明の撮影装置によれば、上記静止画撮影部と上記動画撮影部で独立に撮影を行なえるので、静止画用撮像素子で得た画像データを間引きして動画像データを生成する必要がなくなり、動画用撮像素子で生成した画像データを用いて鮮明な動画像の撮影を行なうことができる。その結果、間引き処理を行なう必要がなくなるため、折り返し歪みの影響を受けて動画像の画質が劣化するということがなくなる。
【００１１】
ここで、上記動画記録部と上記静止画記録部との双方に代えて、装填された記録媒体に動画データと静止画データとの双方を記録する画像記録部を備えたことを特徴とする。
【００１２】
そうすると、上記記録媒体に動画データと静止画データとを共通に記録することができる。ここでは上記動画撮影部と上記静止画撮影部との双方が備える記録媒体それぞれを一つの記録媒体に統合せずに、双方の記録媒体を残したまま、いずれか一方に上記画像記録部で画像データの記録を行なう構成も考えられる。この構成によれば、いずれか一方の記録媒体を予備として他方の記録媒体に動画データと静止画データとの双方を記録することができ、その他方の記録媒体が満杯になったときには一方の記録媒体に画像データの記録を行なえる。このようにしておくと他方の記録媒体が満杯になってもシャッタチャンスを逸することなく撮影を行なえる。
【００１３】
また、上記動画記録部と上記静止画記録部との双方で共通に使用される、電源、画像表示画面、および操作手段のうちの少なくとも１つを備えていることが好ましい。
【００１４】
このように上記電源、上記画像表示画面、および上記操作手段のうちの少なくとも１つを共通化することにより、部品点数の低減が図られ、コストを低減することができる。また、上記電源、上記画像表示画面、および上記操作手段すべてを共通化してこのデジタルカメラの小型軽量化を図ることもできる。
【００１５】
また、上記動画記録部と上記静止画記録部との双方を制御するシステムコントローラを備えていることが好ましい。
【００１６】
そうすると、動画撮影中に静止画撮影が行なわれても上記システムコントローラで動画撮影部と上記静止画撮影部との双方を制御してその動画撮影部で生成した動画データとその静止画撮影部で生成した静止画データとの双方を上記画像記録部により上記記録媒体に記録することができる。
【００１７】
さらに、上記動画記録部と上記静止画記録部との双方に代えて、装填された記録媒体に動画データと静止画データとの双方を記録する画像記録部を備え、
上記動画データがその動画データの加工用に通過する動画用バスと、
上記静止画データがその静止画データの加工用に通過する静止画用バスと、
上記動画用バスおよび上記静止画用バスから動画データおよび静止画データを受け取ってこれら動画データおよび静止画データの双方が記録媒体への記録用に通過する記録用バスとを備えていることが好ましい。
【００１８】
このように上記動画用バスと上記静止画用バスのうちのいずれか一方のバスを通過した画像データを上記記録用バスで受け取って、その受け取った動画データあるいは静止画データの上記記録媒体への記録を上記画像記録部により行なえる。
【００１９】
また、上記動画記録部と上記静止画記録部との双方で共通使用される画像表示画面を備え、
上記動画データが該動画データの加工用に通過する動画用バスと、
上記静止画データが該静止画データの加工用に通過する静止画用バスと、
上記動画用バスおよび前記静止画用バスから動画データおよび静止画データを受け取ってこれら動画データおよび静止画データの双方が上記画像表示画面への画像表示用に通過する表示用バスとを備えたことを特徴とする。
【００２０】
このように上記動画用バスと上記静止画用バスのうちのいずれか一方のバスを通過した画像データを上記表示用バスで受け取って、その受け取った動画データあるいは静止画データを上記画像表示画面に表示させることができる。
【００２１】
ここで、上記動画撮影部が、その動画撮影部で得られた動画データに基づく動画像を表示する、上記静止画撮影部と共通使用あるいはその動画撮影部で単独使用される画像表示画面を備え、
上記動画撮影部が、電源投入時に、記録媒体への動画データの記録を除き動作を開始して、上記表示画面に動画像の表示を行なうものであることが好ましい。
【００２２】
そうすると、上記動画撮影部で撮影した動画像をスルー画像としてその画像表示画面に表示させることができる。上記画像表示画面が動画撮影部で単独使用されるものであると、その画像表示画面をプレビュー画面として作用させ、その画像表示画面をファインダ代わりにすることができる。また上記動画撮影部と上記静止画撮影部とで共通使用されるものであると、上記画像表示画面をファインダ代わりに作用させることに加えて、その静止画撮影部で撮影した画像を上記画像表示画面に表示させて撮影者に撮影した被写体を確認させることもできる。
【００２３】
また、上記動画撮影部が、被写体までの距離を測定する測距部および被写体輝度を測定する測光部を備え、
上記静止画撮影部が、上記動画撮影部の測距部および測光部で得られた距離情報および輝度情報を反映させた静止画撮影を行なうものであることが好ましい。
【００２４】
そうすると、上記静止画撮影部に測距部、測光部を持たせなくてもスルー画像として表示させている動画像を表わす動画データを生成するときに得た距離情報および輝度情報とに基づいて静止画撮影を行なうことができる。ただし、静止画撮影部に測距部、測光部があっても良く、その場合には、その静止画撮影部が備える測距部、測光部に動画像撮影部側の距離情報および輝度情報とに基づいて短時間のうちに測距、測光を行なわせることができる。その結果、静止画撮影においては高速処理が実現される。
【００２５】
さらに、上記静止画撮影部が、被写体距離を考慮して上記動画撮影部に動画撮影における被写体中心と同じ点を被写体中心とした静止画撮影を行なうものであることを特徴とする。
【００２６】
例えば上記静止画撮影光学系の光軸を動画撮影における被写体中心と同じ点に向けるようにして、さらに動画撮影における被写体距離を考慮して静止画撮影部で撮影を行なうと、動画撮影中に表示されている動画の一場面を静止画として撮影することができる。そうすると、高速処理に加えて動画像と静止画像のフレーミングを一致させて上記表示画面に表示されている動画そのままの静止画の撮影を行なえる。
【００２７】
ここで、例えば上記動画用撮像素子の撮影サイズよりも上記静止画用撮像素子の撮影サイズが大きい場合には、それら撮影サイズの違いを利用して、上記動画用撮像素子で生成した画像データの特徴を抽出し、その特徴と合致する部分を静止画用撮像素子で生成した画像データから切り出すような構成にすることもできる。
【００２８】
さらに上記動画撮影光学系および上記静止画撮影光学系がいずれもズーム機能を備えた撮影光学系であって、上記動画撮影光学系の焦点距離と上記静止画撮影光学系の焦点距離とを独立に調整するモードと、上記動画撮影光学系の焦点距離と上記静止画撮影用光学系の焦点距離との双方を連動させて調整するモードとを有することを特徴とする。
【００２９】
そうすると動画像撮影と静止画撮影とを独立に行なう場合には、上記動画撮影光学系の焦点距離と上記静止画撮影光学系の焦点距離との双方を独立に調整するモードを指定して上記動画撮影部と上記静止画撮影部とでそれぞれ異なるズーム倍率で撮影を行なうことができ、動画撮影中に静止画撮影を行なうときには、上記動画撮影光学系の焦点距離と上記静止画撮影光学系の焦点距離との双方を連動させて調整するモードを指定して動画撮影光学系の焦点距離で撮影を行なっているときのズーム倍率で静止画撮影光学系でも撮影を行なえる。
【発明の効果】
【００３０】
上記本発明の撮影装置によれば、動画撮影を行なっても動画像の画質を劣化させることのない撮影装置を提供することができる。
【発明を実施するための最良の形態】
【００３１】
以下図面を参照して本発明の実施の形態を説明する。
【００３２】
図１は本発明の実施形態である撮影装置の一例となるデジタルカメラの外観を示す図である。図１（ａ）には横長タイプのデジタルカメラを正面斜め上方から見た斜視図が示されており、図１（ｂ）には図１（ａ）の横長タイプのデジタルカメラを後方斜め上方から見た斜視図が示されている。また、本発明のデジタルカメラの外観としては縦長タイプも考えられるので、図１（ｃ）には、その縦長タイプのデジタルカメラを正面斜め上方から見た斜視図が、図１（ｄ）には後方斜め上方から見た斜視図がそれぞれ示されている。
【００３３】
どちらのタイプであってもカメラボディの形状が異なるだけなので、図１（ａ）、図１（ｂ）に示す横長タイプのデジタルカメラの構成を説明する。
【００３４】
図１（ａ）に示すデジタルカメラ１０ａのカメラボディ１０１ａの正面中央には静止画撮影用のレンズ１１ａと動画撮影撮影用のレンズ１１ｂとが並べて配置されている。このカメラボディ１０１ａの上面には、それらのレンズが捉える被写体の撮影を各々個別に行なえるように静止画用シャッタ釦１２ａと動画用シャッタ釦１２ｂとがそれぞれ個別に設けられている。また、このデジタルカメラ１０ａを動作させるための電源スイッチ１３ａ，１３ｂも静止画用、動画用にそれぞれ個別に設けられており、静止画用電源スイッチ１３ａを投入して静止画撮影だけ行なうことも、動画用電源スイッチ１３ｂを投入して動画撮影だけを行なうことも、また双方の電源スイッチ１３ａ，１３ｂを投入して動画撮影中に静止画撮影を行なうこともできる。
【００３５】
このように双方の電源スイッチ１３ａ，１３ｂのうち少なくとも一つが投入され、静止画シャッタ釦１２ａにより静止画撮影を行なうことも動画シャッタ釦１２ｂにより動画撮影を行なうこともできるので、双方の操作状態を撮影者に別々に示すために、静止画撮影用の操作用ＬＣＤ１４ａと動画撮影用の操作用ＬＣＤ１４ｂもそれぞれ個別に設けられている。
【００３６】
また、図１（ｂ）に示すカメラボディ１０１ａの背面側には、静止画撮影用のＬＣＤパネル１５０ａと動画撮影用のＬＣＤパネル１５０ｂとがそれぞれ設けられており、またそれぞれの撮影において独立にズームを行なえるように、静止画撮影用ズーム釦１６ａと動画撮影用ズーム釦１６ｂも個別に設けられている。
【００３７】
このように、静止画撮影と動画撮影との双方をこのデジタルカメラ一台で独立に行なえる構成になっている。
【００３８】
図１（ｃ）、図１（ｄ）に示すデジタルカメラ１０ｂの構成も、カメラボディ１０１ｂが縦長になっただけで、図１（ａ）、図１（ｂ）と同様の構成になっている。
【００３９】
図２は、図１（ａ）と図１（ｂ）に示す横長タイプのデジタルカメラ１０ａの内部構成を示す図である。図１（ｃ）と図１（ｄ）に示す縦長タイプのデジタルカメラ１０ａの内部構成も同一である。
【００４０】
図１に示したように静止画用電源スイッチ１３ａ、動画用電源スイッチ１３ｂの投入により動画撮影部１００ｂ、静止画撮影部１００ａをそれぞれ動作させることができるように動画撮影用の電源１３０ｂと静止画撮影用の電源１３０ａが２つ別々に設けられている。
【００４１】
まず、動画用側の電源スイッチ１３０ｂが投入された場合に動作する動画撮影部１００ｂの構成を詳細に説明する。
【００４２】
動画用の電源スイッチ１３ｂが投入されると電源１３０ｂから動画撮影部１００ｂを構成する各部に電力が供給され、動作可能な状態になる。
【００４３】
動画撮影部１００ｂは、第１のメインＣＰＵ１１０ｂにより統括的に制御されるものであり、第１のメインＣＰＵ１１０ｂには動画用シャッタ釦１２ｂや電源スイッチ１３ｂなどの操作信号が供給されている。これらの操作信号が供給されたことを受けて第１のメインＣＰＵ１１０ｂにより動画撮影部１００ｂの動作、また操作用ＬＣＤ１４ｂさらに画像表示ＬＣＤ１５ｂの表示動作が制御される。このメインＣＰＵ１００ｂにはプログラム格納用のＥＥＰＲＯＭ１１１ｂが備えられており、このＥＥＰＲＯＭ１１１ｂ内にあるプログラムにしたがって動画撮影部１００ｂの動作が制御される。
【００４４】
この第１のメインＣＰＵ１００ｂにより制御される動画撮影部１００ｂの動作を説明する。
【００４５】
動画撮影部１００ｂには、フォーカスに大きく寄与するフォーカスレンズ１１１０ｂや焦点距離が可変なズームレンズ１１１１ｂを含む複数のレンズからなる動画用撮影光学系１１１ｂおよび動画用撮像素子としてＣＣＤ１１２ｂ（以下動画用ＣＣＤという）が備えられており、その動画用撮影光学系１１１ｂでその動画用ＣＣＤ１１２ｂにピントのあった被写体を結像させている。この動画用ＣＣＤ１１２ｂにピントのあった被写体を結像させるにあたって、本実施形態のデジタルカメラではフォーカスレンズ１１１０ｂを至近点から無限遠点まで移動させながら、動画撮影光学系１１１ｂを通して測距や測光が行われている。これら動画撮影光学系１１１ｂを通して測距や測光を行なった結果をメインＣＰＵ１１０ｂが受け取り、その結果を受け取ったメインＣＰＵ１１０ｂから通信により測光・測距ＣＰＵ１２０ｂにその結果を与えて、測光測距ＣＰＵ１２０ｂにフォーカスレンズ１１１０ｂの移動を行なわせたり、絞り１１１２ｂの切り替えを行なわせたりしている。
【００４６】
このようにしてピントのあった被写体像を動画用ＣＣＤ１１２ｂに結像させて動画用ＣＣＤ１１２ｂにより被写体を表わす画像データを生成し、その生成した画像データをタイミングジェネレータ（以下ＴＧという）１１２１ｂから供給されているタイミング信号に応じて所定の時刻ごと（例えば３３ｍｓごと）にＡ／Ｄ部１１３ｂに出力させている。この出力させた画像データがＡ／Ｄ部１１３ｂでデジタル信号の画像データに変換され、後段のホワイトバランス・γ補正部（以降、ＷＢ・γ部という）１１４ｂ、ＹＣ処理部１１６ｂでそのデジタル信号の画像データが加工されて画像表示ＬＣＤ側にＹＣ信号からなる画像データが供給される。画像表示ＬＣＤ側では、まずそのＹＣ信号からなる画像データを受けて、ＹＣ−ＲＧＢ部１５１ｂでＲＧＢ信号への変換が行なわれ、その変換された画像データがドライバ１５２ｂに供給されてそのドライバ１５２ｂによって画像表示ＬＣＤ１５ｂが駆動される。このようにして画像表示ＬＣＤ１５ｂが駆動されると、ＬＣＤパネル１５０ｂ上に画像データに基づく画像がスルー画像として表示される。なお、ＷＢ・γ部の後段にあるバッファメモリは、ＷＢ・γ部１１４ｂで加工された画像データがバス１２１ｂを通過してＹＣ処理部１１６ｂに供給されるタイミングを調整するために設けられている。
【００４７】
ここでそのスルー画像を見ながら動画用シャッタ釦１２ｂが押されたら、動画撮影部１００ｂ内の各部にメインＣＰＵ１１０ｂから動画撮影の開始指示が発せられて撮影が開始される。
【００４８】
この動画用シャッタ釦１２ｂはトグル動作を行なうもので、一度押されたら再度その動画用シャッタ釦が押されるまで、動画用ＣＣＤで生成した画像データが、ＷＢ・γ部１１４ｂおよびＹＣ処理部１１６ｂで加工され、さらにその加工された画像データが圧縮伸張部１１７ｂで圧縮されてメモリカード１１９ｂに順次記録される。
【００４９】
以上が動画撮影部の動作である。
【００５０】
ここで動画用ＣＣＤ１１２ｂから画像記録部１１９０ｂの中のメモリカード１１９ｂに画像データが記録されるまでに、画像データの加工を行なう各部の動作を簡単に説明しておく。
【００５１】
ＷＢ・γ部１１４ｂでは、まず、ホワイトバランス側でＲ，Ｇ，Ｂのそれぞれの振幅の調整が行なわれて基準となる白色を得るための加工が行なわれる。この白色の調整によって黒色から白色に至る途中の色いわゆる中間色の階調が正しく表現される。この白色ほか黒から白色に至る途中の色の階調は、画像表示ＬＣＤ１５ｂの特性によっても変化してしまうので、γ補正側で画像表示ＬＣＤ１５ｂの特性にあった画像データへの加工も施される。このようにして加工された画像データがバス１２１ｂを通過してＹＣ処理部１１６ｂに供給される。
【００５２】
次に、ＹＣ処理部１１６ｂでは別の表示装置での表示も行なえるようにＲＧＢからなる画像データがＹＣ信号からなる画像データに加工される。
【００５３】
さらに、そのＹＣ信号からなる画像データがバス１２１ｂを通過して圧縮伸張部１１７ｂに供給され、その圧縮伸張部１１７ｂでメモリカードにできるだけ多くの画像データが記録されるように圧縮される。ここでは画像データの圧縮を行なうにあたってＭＰＥＧ１、２、４規格に準拠した圧縮が行なわれている。このように圧縮された画像データがインタフェース１１８ｂを介してメモリカード１１９ｂに記録される。
【００５４】
また、動画撮影中にマイク１２２を介して収録された音声もＡ／Ｄ部１２３でデジタル信号に変換され、メモリカード１１９ｂに記録される。このときにも、バッファメモリ１２４に一旦音声データを蓄積させてタイミングを調整してから音声データが圧縮伸張部１１７ｂに供給され、その圧縮伸張部１１７ｂで圧縮された音声データがメモリカード１１９ｂに記録される。
【００５５】
また、このデジタルカメラ１では、そのメモリカード１１９ｂに記録された動画データおよび音声データを再生することもでき、この再生を行なうときには圧縮伸張部１１７ｂで圧縮された画像データが圧縮情報に基づき伸張され、その伸張された画像データがバス１２１ｂを通過して画像表示ＬＣＤ１５ｂ側に供給されて画像データに基づく画像が表示画面１５０ｂに表示される。画像表示ＬＣＤ１５ｂ側にはその画像表示ＬＣＤ１５ｂを駆動するドライバ１５２ｂとそのドライバ１５２ｂにＲＧＢ信号を供給するＹＣ−ＲＧＢ変換部１５１ｂが備えられており、ＹＣ信号となってメモリカード１１９ｂに記録されていたＹＣ信号からなる画像データがＲＧＢからなる画像データに変換されて画像表示ＬＣＤ１５ｂの表示画面に再生画像が表示される。
【００５６】
この再生画像が表示されているときには、画像データとともに記録された音声データがバッファメモリ１５３を介してさらにＤ／Ａ部１５４を経てスピーカ１５５に供給され、そのスピーカ１５５から音声が発音される。
【００５７】
次に静止画撮影部１００ａの構成と動作を説明する。この静止画撮影部１００ａは、マイク１２２とスピーカ１５５とを備える音声処理部を備えていないことと閃光発光装置１６ａが付加されている以外動画像撮影部１１０ｂと同様の構成である。その閃光発光装置１６ａは、測光部の測光結果を受けてメインＣＰＵ１１０ｂにより閃光発光が必要と判定された場合に、発光管１６０ａと充電発光制御部１６ａとからなる閃光発光装置１６に閃光を発光させるもので、メインＣＰＵ１１０ａが測光・測距ＣＰＵ１２０ａに閃光発光を指示した場合に測光・測距ＣＰＵからの発光指令に応じて充電発光制御部１６ａで制御された発光時間で発光管１６０ａから閃光が発光される。なお、静止画用ＣＣＤ１１２ａは、動画用ＣＣＤ１１２ｂよりも高画素数を有するもので、動画像よりも高精細な画像が得られる。
【００５８】
このように本実施形態のデジタルカメラは、動画撮影用に構成された動画撮影光学系１１１ｂおよび動画用ＣＣＤ１１２ｂを備えるとともに、装填されたメモリカード１１９ｂに動画データを記録する動画記録部１１９０ｂを備え、その動画用ＣＣＤ１１２ｂにより被写体光を捉えて動画データを生成し、その動画データをその動画記録部１１９０ｂに装填されているメモリカード１１９ｂに記録する動画撮影部１００ｂと、静止画撮影用に構成された静止画撮影光学系１１１ａおよび静止画用ＣＣＤ１１２ａを備えるとともに、装填されたメモリカード１１９ａに静止画データを記録する、動画撮影部１００ｂによる動画撮影とは独立に動画撮影中においても動画撮影と併行して静止画撮影を行なう静止画記録部１１９０ａとを備えているので、鮮明な静止画の撮影と鮮明な動画の撮影を双方、独立に行なえて、さらに動画撮影中の静止画撮影も鮮明に行なえる。つまり、動画撮影部による動画撮影において動画用ＣＣＤ１１２ｂで生成した画像データを間引いて動画データを生成する必要がないため、いままで問題であった動画データの画質が劣化することなく、鮮明な動画像が得られる。
【００５９】
図３は、図１に示すデジタルカメラが有する操作用ＬＣＤ１４ａ，１４ｂ、画像表示ＬＣＤ１５ａ，１５ｂなどを共通化して一つの電源スイッチ１３、一つの操作用ＬＣＤ１４に統合した場合の例を示す図である。また図４は図３のデジタルカメラの内部構成を示す図である。図３、図４に示すように、電源スイッチ１３、操作用ＬＣＤ１４，画像表示ＬＣＤ１５、電源１３０、メインＣＰＵ１１０、画像記録部１１９０Ａが共通化されて一つに統合されている。これに伴い加工された動画データまたは静止画データを記憶しておくことが可能な容量を有するバッファメモリ１１９１Ａ，１５００Ａとそれらバッファメモリを制御するコントローラ１１９Ａ，１５００が画像記録部１１９０Ａと画像表示ＬＣＤ１５を駆動する部分に追加されている。
【００６０】
各コントローラ１１９Ａ，１５００はシステムコントローラとなるメインＣＰＵ１１０により制御され、各コントローラ１１９Ａ，１５００によって動画データまたは静止画データがメモリカード１１９に記録されたり、動画データに基づく動画像または静止画データに基づく静止画像が画像表示ＬＣＤ１５のＬＣＤパネル１５０に表示されたりする。
【００６１】
このようにするとコントローラ１１９Ａ，１５０とバッファメモリ１１９１Ａ，１５０Ａが追加されてはいるものの、メインＣＰＵ１１０、メモリカード１１９、画像表示ＬＣＤ１５がそれぞれ一個で済み、全体的に低消費電力化を図ることができる。
【００６２】
図５は、図４の構成をさらに改良して高速処理を行なえるようにした例を示す図である。
【００６３】
図５に示すように動画用バス１２１Ｂと静止画用バス１２１Ａに加え、さらにこれらバス１２１Ａ，１２１Ｂを通過する動画データ、静止画データ双方を受け取り、それら画像データのうち、いずれかが通過する記録用バス１２１Ｃ、表示用バス１２１Ｄとが分離して構成されている。また、これら分離されているバス１２１Ａ〜１２１Ｄをそれぞれ制御するバスコントローラ１２２Ａ〜１２２Ｄがバスの数（４個）分だけ追加されている。
【００６４】
これらのバスコントローラ１２２Ａ〜１２２ＤはシステムコントローラとなるメインＣＰＵ１１０に制御され、そのメインＣＰＵ１１０により制御されているバスコントローラ１２２Ａ〜１２２Ｄにより画像データのバスの通過がそれぞれ制御される。また、これらのバスの通過をメインＣＰＵの指示に基づいて各バスコントローラに効率良く制御を行なわせるためにワークメモリ１２３Ａ〜１２３Ｄもバスの数分だけ設けられている。
【００６５】
このようにすると、それぞれのバス１２１Ａ〜１２１Ｄで独立に画像データの通過が制御される。このため、動画データと静止画データとの双方を同時に加工することができ、その加工したデータを記録用バス１２１Ｃに適宜受け取らせて通過させメモリカード１１９に記録することも、表示用バス１２１Ｄに適宜受け取らせて通過させ画像表示ＬＣＤのＬＣＤパネルに画像を表示することもできる。つまり、メインＣＰＵ１１０とバスコントローラ１２２Ａ〜１２２Ｄによって画像データの通過を時分割的に制御することで、静止画撮影と動画撮影を同時に行なっても双方の画像データを効率良く処理することが可能となる。
【００６６】
このように効率的に処理を行なうと、動画データに基づく画像をＬＣＤパネルに表示させながら動画撮影も、静止画撮影も行なうことができる。
【００６７】
図６は、図５に示す構成を持つデジタルカメラで動画撮影中に静止画撮影を行なう場合の処理を説明する図である。
【００６８】
図６には、メインＣＰＵ１１０が内部のレジスタに書き込む動画記録中フラグ１１１１を抜き出して示し、そのフラグの内容が各ワークメモリ１２３Ａ〜１２３Ｄに書き込まれて、各バス１２１Ａ〜１２１Ｄの制御がバスコントローラ１２２Ａ〜１２２Ｄにより行なわれることが示されている。各バスコントローラ１２２Ａ〜１２２Ｄは、各ワークメモリ１２３Ａ〜１２３Ｄに書き込まれたフラグの内容に基づいて、各バス１２１Ａ〜１２１Ｄを通過させる画像データのタイミングを制御する。なお、図６のデジタルカメラが備える静止画用シャッタ釦１２Ａは半押し、全押しの２つの操作態様を有するものに置き換えられている。
【００６９】
図７は図６に示すフラグを使用したときにメインＣＰＵ１１０が行なう処理の手順を示すフローチャートである。
【００７０】
ステップＳ７０１で電源が投入されたら次のステップＳ７０２で動画記録中フラグをクリアして動画撮影部１００ａを起動する。このときには画像表示ＬＣＤ１５もオンさせる。
【００７１】
ステップＳ７０３へ移行して動画シャッタ１２ｂがオンしているかどうかを判定する。動画シャッタ１２ｂがオンしていたらＹ側に進み、ステップＳ７０４で動画記録中フラグをセットして動画撮影部１００ｂで撮影を行なってメモリカード１１９への動画データの記録を開始する。次のステップＳ７０５で静止画シャッタ１２Ａが半押しされているかどうかを判定し、半押しされていたら次のステップＳ７０６で静止画撮影部１００ａを起動する。さらに次のステップＳ７０７で静止画シャッタ１２Ａが全押しされているかどうかを判定し、全押しされていたらＹ側に進み、ステップＳ７０８で静止画撮影を開始してメモリカード１１９に静止画データを記録する。次のステップＳ７０９へ移行して動画シャッタ１２ｂが再度押されたかどうかを判定し、動画用シャッタ１２ｂが押されていなかったらＮ側に進みステップＳ７０５からステップＳ７０９までの処理を繰り返し行なう。
【００７２】
このステップＳ７０９で動画シャッタが再度押されていたらＹ側に進み、次のステップＳ７１０で動画記録中であるかどうかを判定し、動画記録中であった場合には、Ｙ側に進みステップＳ７１１で動画撮影を終了させ、動画撮影中フラグをクリアする。次のステップＳ７１２で電源スイッチがオフされているかがどうかを判定し、オフされていなかったらＮ側に進み、ステップＳ７０３からステップＳ７１２の処理を繰り返し行なう。また電源スイッチがオフされていたらＹ側に進み電源をオフする。
【００７３】
ステップＳ７１０で動画記録中ではないと判定した場合には、ステップＳ７１０での動画シャッタのオンを一度目の押下操作として動画用シャッタ釦１２ｂが再度オンされるまで次ステップＳ７０４へ戻ってステップＳ７０４からステップＳ７１０の処理を繰り返し行なう。
【００７４】
ステップＳ７０５で静止画シャッタ釦が半押しされていない場合には、動画撮影だけが行なわれているので、ステップＳ７０６、ステップＳ７０７、ステップＳ７０８をスキップしてステップＳ７０９で動画シャッタ釦が押されたかどうかを判定して静止画撮影の処理を行なわない。
【００７５】
また、ステップＳ７０６で静止画シャッタ釦が半押しされた後、全押しがなかなか行われない場合には、全押しが行なわれるまでステップＳ７０９を経由してステップＳ７０５へ戻ってステップＳ７０７で全押しされたかどうかを判定して、全押しされてＹ側に進んだら次のステップＳ７０８で静止画撮影の処理を行なって動画撮影の処理に移る。
【００７６】
図８は、このデジタルカメラで撮影レンズを通して被写体距離の測定を行なう測距部と被写界輝度の測定を行なう測光部とを具体的に示した図である。
【００７７】
このデジタルカメラでは撮影レンズを通して得た画像データに基づいて被写体距離の測定を自動的に行なう自動測距装置（以降ＡＦという）と、同じく被写界輝度の測定を自動的に行なう測光装置（以降ＡＥという）を備えている。この図８では、測距および測光を１つのＡＥ・ＡＦ積算部で行なっている例が示されている。
【００７８】
図８に示すように静止画撮影部１００ａ、動画撮影部１００ｂ双方ともＡＥ・ＡＦ積算部１１４１Ａ，１１４１Ｂを備えており、これらＡＥ・ＡＦ積算部１１４１Ａ，１１４１Ｂで測定された距離情報および測光情報がメインＣＰＵ１１０に与えられている。そこでメインＣＰＵ１１０はその内容を双方の測光・測距ＣＰＵ１２０Ａ，１２０Ｂに通信により伝えて各測光・測距ＣＰＵ１２０ａにフォーカスレンズ１１１０ａ，１１１０ｂと絞り１１１２ａ，１１１２ｂとをそれぞれ制御させる。本実施形態のデジタルカメラでは、動画データを画像表示用ＬＣＤ１５にそのまま表示させているので、静止画シャッタ釦１２Ａが半押しされたときに、フォーカスレンズ１１１０ａの合焦点への移動をいち早く行なわせるため、動画撮影部１１０ｂのＡＥ・ＡＦ積算部１１４１Ｂにより算出されたパラメータを静止画撮影部１１０Ａが備えるＡＥ・ＡＦ積算部１１４１Ａにパラメータを反映させていち早く合焦点への移動を行なわせている。
【００７９】
この場合、部品点数を低減するために動画撮影部側だけＡＥ・ＡＦ積算部があっても良く、その場合には動画撮影部のＡＥ，ＡＦ積算部で算出したパラメータをそのまま使用して静止画光学系の測光・測距ＣＰＵにフォーカスレンズの移動を行なわせ、絞りの切替を行なわせることもできる。
【００８０】
いずれの構成であっても、静止画撮影部１１０ａのフォーカスレンズ１１１０ａを合焦点に移動させる時間が短縮され、高速処理を行なえる。
【００８１】
図９はその高速処理を行なうときにメインＣＰＵ１１０が行なう処理の手順を示すフローチャートである。
【００８２】
ステップＳ９０１で電源スイッチがオンされているかどうかを判定する。電源スイッチが投入されていたら、Ｙ側に進みステップＳ９０２へ移行する。このステップＳ９０２で動画記録中フラグをクリアして動画撮影部１００ｂを起動する。このステップＳ９０３では、電源が投入された後、動画撮影部１００ｂのＡＥ・ＡＦ積算部１１４１ＢのＡＦ側に被写体距離の測距を行なわせて合焦点を検出したらその合焦点へのフォーカスレンズ１１１０ｂの移動を測光・測距ＣＰＵ１２０ｂに行なわせ、さらにＡＥ側に測光を行なわせて測光・測距ＣＰＵ１２０ｂに絞り１１１２ｂの切り替えを行なわせている。次のステップＳ９０３で動画シャッタ釦１２ｂが押されたかどうかを判定し、押されていたらＹ側に進み次のステップＳ９０４で動画記録フラグをレジスタにセットして、動画撮影を開始する。なお、この動画撮影を開始した後、レンズが向けられる方向が変わる度に、測距パラメータおよび測光パラメータを書き換えている。
【００８３】
次のステップＳ９０５で静止画シャッタ釦１２Ａが半押しされたかどうかを判定し、半押しされていたらＹ側に進み、次のステップＳ９０６へ移行する。その静止画撮影が行なわれたときに動画撮影部１１０ｂのＡＥ・ＡＦ積算部１１４１Ｂで積算されたパラメータを静止画撮影用に取得する。
【００８４】
次のステップＳ９０７でその取得したパラメータを静止画撮影部１００ａのＡＥ・ＡＦ積算部１１４１Ａにセットする。このときにはセットした値の近傍で新たな合焦点サーチを行なった後次のステップＳ９０８へ移行しても、合焦点サーチを行なわずにそのまま移行しても良い。
【００８５】
次のステップＳ９０８で静止画用シャッタ釦１２Ａが全押しされたかどうかを判定し、全押しされていたら静止画撮影を行なうものとしてステップＳ９０９へ移行して記録媒体に静止画データを記録する。
【００８６】
次のステップＳ９１０以降の処理は、図７の処理と同様である。また、静止画撮影が行なわれなかった場合、静止画シャッタ釦１２Ａが半押しされ続けていた場合などの処理は図７と同様である。
【００８７】
図１０は、動画の撮影画角を静止画撮影に反映させた例を示す図である。
【００８８】
図１０に示すように、動画データに基づく画像の中心位置を求めるために、さらにＡＦ位置検出部１１４２Ｂを設けて改善を加えている。動画撮影部１１０ｂのＡＥ・ＡＦ積算部１１４１Ｂでは被写体の中心付近の画素データに基づいてコントラストの検出を行なっているのでＡＦ位置検出部１１４２Ｂで被写体の中心位置の検出をすぐに行なえる。そこでＡＦ位置検出部１１４２Ｂに動画撮影における被写体中心の検出を行なわせたら、その被写体中心を示すデータを中心検出補正角度制御部１２１Ａに伝えて撮影光学系全体１１１ａを傾かせ、さらに動画撮影時にＡＥ・ＡＦ積算部１１４１Ｂで測定した測距情報を考慮して静止画撮影部１００ａの測光・測距ＣＰＵ１２０ａにフォーカスレンズ１１１０ａの移動を行なわせて動画撮影における被写体中心と同じ点を被写体中心とした撮影を静止画撮影光学系に行なわせている。このように静止画撮影部１１０ａが、被写体距離を考慮して動画撮影部１００ｂによる動画撮影における被写体中心と同じ点を被写体中心とした静止画撮影を行なうことにより、画像表示ＬＣＤで見た動画像の一場面がそのまま静止画として撮影される。
【００８９】
また静止画用ＣＣＤ１１２ａが高画素数であって動画の撮影サイズよりも静止画撮影の撮影サイズの方が大きいことを利用して、撮影光学系全体１１１ａを傾かせなくても静止画用ＣＣＤ１１２ａで生成した画像データの中から動画用ＣＣＤ１１２Ｂで生成した画像と同じ画像となる部分を抽出して切り出すこともできる。このようにすると、中心検出補正角度制御部１２１Ａが不要になる。
【００９０】
図１１は動画撮影部１００ｂで測定した被写体距離を考慮して動画撮影における被写体中心と同じ点を被写体中心とした静止画撮影を行なうときにメインＣＰＵ１１０が行なう処理の手順を示す図である。
【００９１】
ステップＳ１１０１で電源スイッチがオンされているかどうかを判定する。電源スイッチが投入されていたら、Ｙ側に進みステップＳ１１０２へ移行する。このステップＳ１１０２で動画記録中フラグをクリアして動画撮影部１００ｂを起動する。このステップＳ１１０２では、電源が投入された後、動画撮影部１００ｂのＡＥ・ＡＦ積算部１１４１Ｂに被写体距離の測距を行なわせて合焦点を検出したらその合焦点へのフォーカスレンズ１１１０ｂの移動を測光・測距ＣＰＵ１２０ｂに行なわせ、さらにＡＥ側に測光を行なわせて測光・測距ＣＰＵ１２０ｂに絞り１１１２ｂの切り替えを行なわせている。次のステップＳ１１０３で動画シャッタ釦１２ｂが押されたかどうかを判定し、押されていたらＹ側に進み次のステップＳ１１０４で動画記録フラグをレジスタにセットして、動画撮影を開始する。なお、この動画撮影を開始した後、撮影レンズが向けられている方向が変わる度に、測距パラメータおよび測光パラメータを書き換えている。
【００９２】
次のステップＳ１１０５で静止画シャッタ釦１２Ａが半押しされたかどうかを判定し、半押しされていたらＹ側に進み、次のステップＳ１１０６へ移行する。ステップＳ１１０６で静止画シャッタ釦が半押しされたときに動画撮影部１００ｂのＡＦ位置検出部１１４２Ｂで検出されたパラメータを静止画撮影用に取得する。
【００９３】
次のステップＳ１１０７でその取得したパラメータを中心検出補正角度制御部１２１Ａにセットする。このセットされた値にしたがって次のステップＳ１１０８で静止画撮影光学系の光軸を動画撮影光学系の光軸と略一致させるように中心検出補正角度制御部１２１Ａに撮影光学系を駆動させる。次のステップＳ１１０９で静止画用シャッタ釦１２Ａが全押しされたら、Ｙ側に進み静止画撮影を行なって静止画データを記録媒体に記録する。
【００９４】
ステップＳ１１１０以降の処理は図７，図９と同様である。
【００９５】
最後にズーム操作を行なったときに動画撮影光学系１１１ｂの中のズームレンズ１１１１ｂと静止画撮影光学系の中のズームレンズ１１１１ａとを連動させる場合の例を説明する。
【００９６】
図１２は、動画用ズーム釦１６ｂと静止画用ズーム釦１６ａとを双方連動させて静止画撮影光学系、動画撮影光学系それぞれのズームレンズ１１１２ａ，１１１２ｂを同じように移動させるか、個別に作用させて双方のズームレンズ１１１２ａ，１１１２ｂを別々に移動させるかを選択することを可能にした構成を示す図である。説明を分かりやすくするため、図６と同様にＣＰＵ内部のレジスタにセットされるフラグをズーム共通フラグ１１０２として抜き出して示してある。
【００９７】
この選択は、操作用ＬＣＤ１４に表示されているメニューを例えば十字キー１によって指定することにより行なわれる。
【００９８】
例えば十字キー１によって、動画用ズーム釦１６ｂと静止画用ズーム釦１６ａとを双方連動させるモードが指定された場合には、メインＣＰＵ１１０はズーム共通フラグをセットする。そうすると、一方のズーム釦１６ａ，１６ｂの操作を受けてメインＣＰＵ１１０が双方の測光・測距ＣＰＵ１２０ａ，１２０ｂにその操作内容を伝える。双方の測光・測距ＣＰＵ１２０ａ，１２０ｂではその操作内容を受けてズームレンズ１１１１ａ、１１１１ｂそれぞれを移動させる。
【００９９】
そうすると、動画撮影中にズーム操作が行なわれた後、静止画撮影が行なわれても、同じ撮影画角で撮影を行なえるので、撮影したい画像を静止画として確実に撮影することができる。また、静止画撮影が行なわれた後、表示されている動画像が静止画でのズーム操作に応じた拡大倍率ですぐに表示される。
【０１００】
図１３はズーム釦の動作モードを選択して動画用ズーム釦と静止画用ズーム釦との双方を連動させて動作させるか、双方を独立に動作させるかを選択する場合にメインＣＰＵが行なう処理の手順を示すフローチャートである。
【０１０１】
ステップＳ１３０１でズーム釦の動作モードを選択する。次のステップＳ１３０２で操作用ＬＣＤにズーム釦の動作モードの選択メニューの表示を行なう。ここで静止画用ズーム釦、動画用ズーム釦を各々独立に動作させるモード（以降、独立モードという）か、双方を連動させるモード（以降連動モードという）かを十字キー１などにより指定させる。次のステップＳ１３０３へ移行して独立モードが指定されたか連動モードが指定されたかの判定を行う。連動モードが指定された場合には、ステップＳ１３０４へ進み、このステップＳ１３０４でズーム共通フラグを１にセットして、次のステップＳ１３０５へ移行する。このステップＳ１３０５で動画用ズーム釦がオンしているかどうかを判定してオンしていたらＹ側に進み、ステップＳ１３０６でＴＥＬＥ側か、ＷＩＤＥ側かを判定する。ステップＳ１３０６でＴＥＬＥ側が指定されたと判定した場合にはステップＳ１３０７で静止画撮影光学系、動画撮影光学系双方のズームレンズを同時にＴＥＬＥ側に駆動し、ＷＩＤＥ側が指定されたと判定した場合にはステップＳ１３０８で双方のズームレンズを同時にＷＩＤＥ側に駆動する。なお、動画用ズーム釦、静止画用ズーム釦どちらが操作されても、双方のズームレンズが連動して駆動されるので、ステップＳ１３０５で動画用ズーム釦がオンしていない場合にはステップＳ１３０５でＮ側に進み、静止画用ズーム釦側で操作が行なわれるものとしてステップＳ１３０９で静止画用ズーム釦がオンしているかどうかを判定してステップＳ１３０６からステップＳ１３０８までと同様の処理をステップＳ１３１０からＳ１３１２で行なう。
【０１０２】
ステップＳ１３０３で独立モードが選択されていた場合には、ステップＳ１３１３へ進みズーム共通フラグを０にセットする。ステップＳ１３１４で動画用ズーム釦がオンしていたらＹ側に進みステップＳ１３１５でＴＥＬＥ側かＷＩＤＥ側かを判定する。このステップＳ１３１５ＴＥＬＥ側が指定されたと判定した場合にはステップＳ１３１６で動画撮影光学系のズームレンズをＴＥＬＥ側に駆動してステップＳ１３１５でＷＩＤＥ側が指定されたと判定した場合には、ステップＳ１３１７で動画撮影光学系のズームレンズをＷＩＤＥ側に駆動する。
【０１０３】
ステップＳ１３１４で動画用ズーム釦がオンしていない場合にはＮ側に進みステップＳ１３１８で静止画用ズーム釦がオンしているかどうかを判定する。このステップＳ１３１８でオンしていると判定したらＹ側に進み、ステップＳ１３１９でＴＥＬＥかＷＩＤＥかを判定する。このステップＳ１３１９でＴＥＬＥ側であると判定したら静止画撮影光学系の中のズームレンズをＴＥＬＥ側に駆動して、ＷＩＤＥ側であると判定したら、ステップＳ１３２１で静止画撮影光学系の中のズームレンズをＷＩＤＥ側に駆動する。
【０１０４】
このように連動モードである場合にはいずれか一方のズーム釦が操作されたら双方の撮影光学系のズームレンズを同時に駆動して、独立モードの場合には動画用ズーム釦が操作されたら、動画撮影光学系の中のズームレンズを駆動して、静止画用ズーム釦が操作されたら、静止画撮影光学系の中のズームレンズを駆動する。
【０１０５】
以上説明したように、本実施形態のカメラによれば動画像の画質を劣化させることなく、動画撮影を行なえるデジタルカメラが実現される。また、デジタルカメラ内部においては部品点数を低減させ、小型軽量化、さらには低消費電力化を図ったデジタルカメラが実現される。さらに、バスを分離構成することにより高速処理を行なえるデジタルカメラが実現される。
【０１０６】
なお、本実施形態では撮影装置としてデジタルカメラを例に掲げたが、カメラ付き携帯電話などの撮影装置にも適用可能である。
【図面の簡単な説明】
【０１０７】
【図１】本発明の実施形態を示すデジタルカメラの外観を示す図である。
【図２】図１のデジタルカメラの内部構成を示す図である。
【図３】図１に示すデジタルカメラが有する操作用ＬＣＤ１４ａ，１４ｂ、画像表示ＬＣＤ１５ａ，１５ｂなどを共通化して一つに統合した場合の例を示す図である。
【図４】図３のデジタルカメラの内部構成を示す図である。
【図５】図４の構成をさらに改良して高速処理を行なえるようにした例を示す図である。
【図６】動画撮影中に静止画撮影を行なう場合の処理を説明する図である。
【図７】フラグを使用したときにメインＣＰＵ１１０（システムコントローラ）が行なう処理の手順を示すフローチャートである。
【図８】このデジタルカメラで撮影レンズを通して測光・測距を行なうＡＥ・ＡＦ積算部を具体的に示した図である。
【図９】その高速処理を行なうときにメインＣＰＵ（システムコントローラ）が行なう処理の手順を示すフローチャートである。
【図１０】動画の撮影画角を静止画撮影に反映させた例を示す図である。
【図１１】動画と静止画の撮影画角を略一致させるときのメインＣＰＵ（システムコントローラ）が行なう処理の手順を示す図である。
【図１２】動画用ズーム釦と静止画用ズーム釦とを双方連動させて静止画撮影光学系、動画撮影光学系それぞれのズームレンズを同時に移動させるか、双方のレンズを別々に移動させるかを選択することを可能にした構成を示す図である。
【図１３】ズーム釦の動作モードを選択して連動させるか、独立に動作させるかを選択する場合にメインＣＰＵ（システムコントローラ）が行なう処理の手順を示すフローチャートである。
【符号の説明】
【０１０８】
１０ａ  １０ｐ  １０Ａ  １０Ｐ    デジタルカメラ
１０１ａ  １０１ｐ  １０１Ａ  １０１Ｐ    カメラボディ
１１ａ    静止画用撮影レンズ
１１ｂ    動画用撮影レンズ
１２ａ    静止画用シャッタ釦
１２ｂ    動画用シャッタ釦
１３ａ    静止画用電源スイッチ
１３ｂ    動画用電源スイッチ
１４ａ    静止画用操作用ＬＣＤ
１４ｂ    動画用操作用ＬＣＤ
１５ａ    静止画表示用ＬＣＤ
１５０ａ  静止画用ＬＣＤパネル
１５ｂ    動画表示用ＬＣＤ
１５０ｂ    動画用ＬＣＤパネル
１６ａ    静止画用ズーム釦
１６ｂ    動画用ズーム釦
１００ａ    静止画撮影部
１００ｂ    動画撮影部
１１０    メインＣＰＵ（システムコントローラ）
１１０ａ    ＣＰＵ
１１０ｂ    ＣＰＵ
１１１ａ    静止撮影光学系
１１２ａ    静止画用ＣＣＤ
１１１ｂ  動画用撮影光学系
１１２ａ  動画用ＣＣＤ
１１９０ａ    静止画像記録部
１１９０ｂ    動画像記録部
【図１】
2005094465.tif 000003
【図２】
2005094465.tif 000004
【図３】
2005094465.tif 000005
【図４】
2005094465.tif 000006
【図５】
2005094465.tif 000007
【図６】
2005094465.tif 000008
【図７】
2005094465.tif 000009
【図８】
2005094465.tif 000010
【図９】
2005094465.tif 000011
【図１０】
2005094465.tif 000012
【図１１】
2005094465.tif 000013
【図１２】
2005094465.tif 000014
【図１３】
2005094465.tif 000015